(57)【特許請求の範囲】
【請求項１】
通話先の電話装置を指定し、該指定された相手側の電話装置に対応するＤＴＭＦの信号を出力して当該相手側の電話装置を呼び出し中であることを判別したときに、または、通話先の電話装置として指定されて着信を検知したときに、演奏データの送受信を開始する電話装置であって、
演奏データを記憶した演奏データ記憶手段と、
前記相手側の電話装置に対応するＤＴＭＦの信号を出力して当該相手側の電話装置を呼び出し中であることが判別されたときに、前記演奏データ記憶手段に記憶されている演奏データを呼び出し信号に添付して当該相手先の電話装置に送信する添付手段と、
前記着信を検知した場合に、前記呼び出し信号に添付された演奏データを使用して、前記着信の報知を行う第１の着信報知態様と、前記演奏データ記憶手段に記憶された演奏データを使用して、前記着信の報知を行う第２の着信報知態様のうちのいずれかに設定可能な設定手段と、
前記着信を検知したときに、前記呼び出し信号に前記演奏データが添付されていた場合には、該演奏データを添付データ記憶手段に取り込むとともに、発信元の電話装置に対して、前記設定手段によって設定された着信報知態様を表す信号を返信し、さらに、前記第１の着信報知態様が設定されている場合には、前記取り込んだ演奏データの再生を開始する一方、前記第２の着信報知態様が設定されている場合には、前記演奏データ記憶手段に記憶されている演奏データの再生を開始するように制御する制御手段と
を有することを特徴とする電話装置。
【請求項２】
通話先の電話装置を指定し、該指定された相手側の通信装置に対応するＤＴＭＦの信号を出力して当該相手側の電話装置を呼び出し中であることを判別したときに、または、通話先の電話装置として指定されて着信を検知したときに、演奏データの送受信を開始する電話装置を制御する制御方法を含む、コンピュータが実現できるプログラムを格納した記憶媒体であって、
前記制御方法は、
前記相手側の電話装置に対応するＤＴＭＦの信号を出力して当該相手側の電話装置を呼び出し中であることが判別されたときに、演奏データ記憶手段に記憶されている演奏データを呼び出し信号に添付して当該相手先の電話装置に送信し、
前記着信を検知した場合に、前記呼び出し信号に添付された演奏データを使用して、前記着信の報知を行う第１の着信報知態様と、前記演奏データ記憶手段に記憶された演奏データを使用して、前記着信の報知を行う第２の着信報知態様のうちのいずれかに設定し、
前記着信を検知したときに、前記呼び出し信号に前記演奏データが添付されていた場合には、該演奏データを添付データ記憶手段に取り込むとともに、発信元の電話装置に対して、前記設定された着信報知態様を表す信号を返信し、さらに、前記第１の着信報知態様が設定されている場合には、前記取り込んだ演奏データの再生を開始する一方、前記第２の着信報知態様が設定されている場合には、前記演奏データ記憶手段に記憶されている演奏データの再生を開始するように制御する
ことを特徴とする記憶媒体。
【発明の詳細な説明】
【０００１】
【発明の属する技術分野】
本発明は、他の通信装置を呼び出して通信する電話装置および記憶媒体に関する。
【０００２】
【従来の技術】
他の通信装置を呼び出して通信する通信装置、たとえば携帯電話機や設置型の電話機の大半の機種には、着信相手に応じて呼び出し音を切り換える、いわゆる着信メロディ機能が備わっている。そして、着信メロディ用の演奏データとしては、その電話機に予め記憶されているものを使用したり、その電話機に備わっている着信メロディ作曲機能を用いて作曲したものを使用したり、演奏データを配信するデータ配信会社にアクセスし、ダウンロードした演奏データを使用したりするようにしている。
【０００３】
【発明が解決しようとする課題】
しかし、上記従来の通信装置のうち、着信メロディとして、その装置に予め記憶されている演奏データを使用するものでは、演奏データを記憶するメモリの容量に制限があるため、着信メロディはありきたりで単調なものになりやすい。また、演奏データを作曲して使用するものでは、たとえばテンキーを用いて、メロディを構成する音符を１つずつ入力して行かなければならず、面倒であった。さらに、データ配信会社からダウンロードした演奏データを使用するものでは、着信メロディの選択の幅は広がるものの、よく知られているメロディに限定されてしまいがちであるため、ユーザの個性を出し難かった。
【０００４】
以上は、受信側通信装置のユーザの問題であるが、逆に、送信側通信装置のユーザは、呼び出す相手側の着信メロディを制御することはできないため、その着信メロディに対して、ユーザの個性を発揮することはできなかった。
【０００５】
本発明は、この点に着目してなされたものであり、着信メロディ用の演奏データを簡単に入力できるとともに、発信元の電話装置のユーザが発信先の電話装置の着信メロディを制御できる電話装置および記憶媒体を提供することを目的とする。
【０００６】
【課題を解決するための手段】
上記目的を達成するため、請求項１に記載の電話装置は、通話先の電話装置を指定し、該指定された相手側の電話装置に対応するＤＴＭＦの信号を出力して当該相手側の電話装置を呼び出し中であることを判別したときに、または、通話先の電話装置として指定されて着信を検知したときに、演奏データの送受信を開始する電話装置であって、演奏データを記憶した演奏データ記憶手段と、前記相手側の電話装置に対応するＤＴＭＦの信号を出力して当該相手側の電話装置を呼び出し中であることが判別されたときに、前記演奏データ記憶手段に記憶されている演奏データを呼び出し信号に添付して当該相手先の電話装置に送信する添付手段と、前記着信を検知した場合に、前記呼び出し信号に添付された演奏データを使用して、前記着信の報知を行う第１の着信報知態様と、前記演奏データ記憶手段に記憶された演奏データを使用して、前記着信の報知を行う第２の着信報知態様のうちのいずれかに設定可能な設定手段と、前記着信を検知したときに、前記呼び出し信号に前記演奏データが添付されていた場合には、該演奏データを添付データ記憶手段に取り込むとともに、発信元の電話装置に対して、前記設定手段によって設定された着信報知態様を表す信号を返信し、さらに、前記第１の着信報知態様が設定されている場合には、前記取り込んだ演奏データの再生を開始する一方、前記第２の着信報知態様が設定されている場合には、前記演奏データ記憶手段に記憶されている演奏データの再生を開始するように制御する制御手段とを有することを特徴とする。
【０００７】
ここで、添付する演奏データを複数個用意しておき、指定された相手に応じて、そのうちのいずれかの演奏データを自動的に選択して添付するようにしてもよい。また、取り込んだ演奏データの一部が再生できない場合には、その一部を除いた残りの部分のみ再生するようにしてもよいし、その一部を再生可能なものに変更した後に再生するようにしてもよい。さらに、取り込んだ演奏データの一部または全部を修正できるようにしてもよい。そして、取り込んだ演奏データそのもの、または修正後の演奏データを、再度添付して他の通信装置に転送するようにしてもよい。また、取り込んだ演奏データは、呼び出し信号を送受信している間以外でも、所定の操作に同期して再生できるようにしてもよい。さらに、取り込んだ演奏データの再生時間が短い場合には、繰り返して再生するようにすればよい。また、添付するデータとしては、演奏データのみならず、他の種類のデータ、たとえば、画像データや文字データ等を加えるようにしてもよい。当該通信装置が、データを受信する側の通信装置として使用されたときに、当該通信装置が添付された演奏データを再生する機能を備えているか、さらに、その機能がオン状態であるか等の情報を、当該通信装置の相手側に送信する機能を備えるようにしてもよい。以上の事情は、以下、請求項が変わっても同様である。
【０００８】
好ましくは、演奏データを記憶する記憶手段と、前記呼び出し信号を受信したときに、前記記憶手段に記憶された演奏データと、前記添付データ記憶手段に記憶された演奏データのいずれを再生するかを選択する選択手段とを有し、前記制御手段は、前記呼び出し信号を受信したときに、前記選択手段によって選択された演奏データの再生を開始することを特徴とする。
【０００９】
この発明によれば、前記呼び出し信号を受信したときに、記憶手段に記憶された演奏データと、前記添付データ記憶手段に記憶された演奏データのうち、予め選択された方の演奏データが再生されるので、受信側ユーザの意図通りの演奏データを再生することができる。
【００１０】
さらに、好ましくは、演奏データを記憶する記憶手段を有し、前記制御手段は、前記呼び出し信号を受信したときに、該呼び出し信号に前記演奏データが添付されてない場合には、前記記憶手段に記憶された演奏データを読み出して再生を開始することを特徴とする。
【００１１】
この発明によれば、前記呼び出し信号を受信したときに、該呼び出し信号に前記演奏データが添付されてない場合には、記憶手段に記憶された演奏データが読み出されて再生が開始するので、たとえ演奏データが添付されなかったとしても、着信メロディを再生することができる。
【００１７】
上記目的を達成するため、請求項２に記載の記憶媒体は、通話先の電話装置を指定し、該指定された相手側の通信装置に対応するＤＴＭＦの信号を出力して当該相手側の電話装置を呼び出し中であることを判別したときに、または、通話先の電話装置として指定されて着信を検知したときに、演奏データの送受信を開始する電話装置を制御する制御方法を含む、コンピュータが実現できるプログラムを格納した記憶媒体であって、前記制御方法は、前記相手側の電話装置に対応するＤＴＭＦの信号を出力して当該相手側の電話装置を呼び出し中であることが判別されたときに、演奏データ記憶手段に記憶されている演奏データを呼び出し信号に添付して当該相手先の電話装置に送信し、前記着信を検知した場合に、前記呼び出し信号に添付された演奏データを使用して、前記着信の報知を行う第１の着信報知態様と、前記演奏データ記憶手段に記憶された演奏データを使用して、前記着信の報知を行う第２の着信報知態様のうちのいずれかに設定し、前記着信を検知したときに、前記呼び出し信号に前記演奏データが添付されていた場合には、該演奏データを添付データ記憶手段に取り込むとともに、発信元の電話装置に対して、前記設定された着信報知態様を表す信号を返信し、さらに、前記第１の着信報知態様が設定されている場合には、前記取り込んだ演奏データの再生を開始する一方、前記第２の着信報知態様が設定されている場合には、前記演奏データ記憶手段に記憶されている演奏データの再生を開始するように制御することを特徴とする。
【００１８】
【発明の実施の形態】
以下、本発明の実施の形態を図面に基づいて詳細に説明する。
【００１９】
図１は、本発明の一実施の形態に係る通信装置が他の通信装置と通信するときに必要なシステム構成の一例を示す図であり、図示例では、本実施の形態の通信装置１として携帯電話機を採用し、他の通信装置としては、通信装置１と同様の構成の携帯電話機１′、および複数個の有線通信機３を採用している。
【００２０】
複数の基地局２と複数の有線通信機３は、一般回線（電話回線）を介して、相互に接続され、通信装置１と携帯電話機１′間および通信装置１（または携帯電話機１′）と有線通信機３間の通信が行われるように構成されている。
【００２１】
通信装置１は、通信すべき携帯電話機１′が近くに存在するときには、その携帯電話機１′と直接無線通信を行い、通信すべき携帯電話機１′が電波の届かない遠くに存在するときには、基地局２を介して間接的に無線通信を行う。
【００２２】
なお、通信装置１は、本実施の形態では、携帯電話機の構成を採用したが、これは便宜上のことに過ぎず、たとえば、モバイルコンピュータを典型とする携帯無線（または有線）端末の構成でもよいし、上記有線通信機３の構成としてもよい。
【００２３】
図２は、本実施の形態の通信装置１の概略構成を示すブロック図である。
【００２４】
同図に示すように、装置全体の制御を司るＣＰＵ１１には、テンキーや各種機能スイッチからなる操作スイッチ群１２、ＣＰＵ１１が実行する制御プログラムや、各種テーブルデータ等を記憶するＲＯＭ１３、演奏データ（着信メロディ用のものを含む）、各種入力情報（たとえば、電話帳や、留守番電話機能により記録される音声情報、メールとして添付するメッセージ情報等）および演算結果等を一時的に記憶するＲＡＭ１４、タイマ割込み処理における割込み時間や各種時間、時刻を計時するタイマ１５、各種情報等を表示する、たとえば液晶ディスプレイ（ＬＣＤ）および発光ダイオード（ＬＥＤ）等を備えた表示器１６が接続されている。
【００２５】
また、ＣＰＵ１１には、音声を入力するためのマイクロフォン１７が、該マイクロフォン１７からのアナログ信号出力をデジタル信号に変換するＡ／Ｄ変換器１８を介して接続され、このようにして入力された音声信号や各種制御信号を電波に変換し、アンテナ２０を介して携帯電話機１′や基地局２に送信する電波発信機１９や、アンテナ２０を介して受信した電波を受信し、音声信号や各種制御信号に変換する電波受信機２１も接続されている。Ａ／Ｄ変換器１８には、楽音発生装置１００が発生したアナログ楽音信号を入力するための外部入力インターフェース３０も接続されている。
【００２６】
さらに、ＣＰＵ１１には、相手の会話、すなわち相手の携帯電話機１′や有線通信機３から送信されてきた音声信号を音声に変換する音声用スピーカ２３が、ＣＰＵ１１からのデジタル音声信号をアナログ音声信号に変換するＤ／Ａ変換器２２を介して接続され、ＣＰＵ１１の制御により音色が変化した各種デジタル楽音信号を生成する楽音生成用音源２４が接続されている。楽音生成用音源２４の出力側には、そのデジタル楽音信号出力をアナログ楽音信号に変換するＤ／Ａ変換器２５が接続され、Ｄ／Ａ変換器２５の出力側には、そのアナログ楽音信号出力を音響に変換する楽音用スピーカ２６が接続されている。
【００２７】
以上のように構成された通信装置１が実行する制御処理を、まずその概要を説明し、次に図３〜図８を参照して詳細に説明する。
【００２８】
通信装置１は、（１）演奏データ作成モードにおける演奏データ作成・編集処理、（２）送信モードの設定変更処理、（３）着信音の設定変更処理、（４）電話帳の設定変更処理、および、（５）その他処理の５種類の処理を行う。
【００２９】
（１）演奏データ作成処理：文字通り、着信メロディ用の演奏データを作成する処理であるが、本実施の形態では、ユーザがマイクロフォン１７から歌声で、または、楽音発生装置１００による演奏で入力した音声信号を解析し、その解析結果に基づいて演奏データを生成するようにしている。そして、演奏データを生成するときに、当該演奏データを構成する各音符の音高を、それぞれ絶対音高ではなく、隣接する音符間の相対音高で検出するようにしているため、各ユーザ固有の音声ピッチまたは各ユーザが選択した楽音発生装置１００の楽音ピッチに拘わらず、任意の調の曲を作曲することができる。なお、本実施の形態では、演奏データの生成方法として、本出願人が出願し、既に公知となっている方法（特開平１０−２０７４５５公報参照）を採用している。
【００３０】
（２）送信モードの設定変更処理：本実施の形態では、送信モードとして、相手の通信装置を呼び出すときに、（ａ）ＲＡＭ１４に記憶されている演奏データおよびメールの両方を添付して相手の通信装置に送信するモード、（ｂ）演奏データのみ添付して送信するモード、（ｃ）メールのみ添付して送信するモード、（ｄ）演奏データおよびメールの両方とも添付しないモードの４種類のモードを備えており、送信モードの設定変更処理とは、送信モードを、この４種類のモードのいずれかに設定変更する処理をいう。
【００３１】
（３）着信音の設定変更処理：本実施の形態では、着信音として、（ａ）ユーザ自ら選択した着信音、（ｂ）送信側の通信装置が着信メロディ用の演奏データを送信したときには、その演奏データに応じた着信音、（ｃ）着信音なしの３種類の着信音のいずれかを設定できるように構成されており、着信音の設定変更処理とは、着信音を、この３種類のいずれかに設定変更する処理をいう。
【００３２】
（４）電話帳設定処理：従来の通信装置のように、実施の形態の通信装置でも、相手先の電話番号を一々入力する手間を省くために、電話帳を設けるようにしているが、本実施の形態では、従来の通信装置とは異なり、電話帳に登録された相手先をグループ化でき、この各グループに対して、上記添付する演奏データを指定できるように構成されている。電話帳設定処理では、通常の電話帳の設定に加えて、このグループ化および添付する演奏データの指定の各設定処理を行うことができる。
【００３３】
（５）その他処理：上記（１）〜（４）以外のすべての処理を言い、従来の通信装置によって通常行われる処理である。
【００３４】
次に、これらの制御処理を詳細に説明する。
【００３５】
図３は、本実施の形態の通信装置１、特にＣＰＵ１１が実行するメインルーチンの手順を示すフローチャートである。本メインルーチンは、前記操作スイッチ群１２中の電源スイッチ（図示せず）を、たとえば数秒間押し続けることにより、図示しないバッテリから装置全体に電源が供給されたときに、その起動が開始される。
【００３６】
同図において、まず、前記ＲＡＭ１４のクリアや、各種ポートのクリア等の初期化処理を行う（ステップＳ１）。
【００３７】
次に、操作スイッチ群１２による操作入力を監視し、操作入力が検出されたときにはその入力に応じた処理を行う一般操作および設定変更処理サブルーチン（その詳細は、図４〜図６を用いて後述する）を実行する（ステップＳ２）。
【００３８】
そして、通信が入ってくる状態（電話がかかってくる状態）を監視し、通信が入ってきたときに、呼び出し音（着信音）を鳴動させる受信確認処理（その詳細は、図８を用いて後述する）を実行した（ステップＳ３）後に、上記ステップＳ２に戻り、上述の処理を繰り返し行う。
【００３９】
図４および図５は、一般操作および設定変更処理サブルーチンの詳細な手順を示すフローチャートである。
【００４０】
図４において、まず、設定変更が入力されたか否かを判別し（ステップＳ１１）、設定変更が入力されたときには、その設定変更が、上記（１）〜（４）の処理のいずれの処理に対するものであるかを、ステップＳ１２，Ｓ２０またはＳ２５で判別する。このとき、その設定変更が、上記（１）の処理に対するものである場合には、ステップＳ１２→Ｓ１３に移行してステップＳ１３〜Ｓ１９の処理を行い、上記（２）の処理に対するものである場合には、ステップＳ２０→Ｓ２１に移行してステップＳ２１〜Ｓ２４の処理を行い、上記（３）の処理に対するものである場合には、ステップＳ２５→Ｓ２６に移行してステップＳ２６の処理を行い、上記（１）の処理に対するものである場合には、ステップＳ２５→Ｓ２７に移行してステップＳ２７の処理を行う。
【００４１】
ステップＳ１３では、新規演奏データの作成が選択されたか否かを判別し、新規演奏データの作成が選択された場合には、ステップＳ１４〜Ｓ１６で、新規演奏データを作成する一方、新規演奏データの作成が選択されず、既に作成された演奏データの修正が指示されたときには、ステップＳ１７〜Ｓ１９で、既に作成された演奏データからユーザが選択したものを修正する。
【００４２】
新規演奏データの作成は、具体的には、次のようにして行う。すなわち、まず、マイクロフォン１７または外部入力インターフェース３０から入力され、Ａ／Ｄ変換器１８によってデジタル変換されたデジタル音声データを、たとえばＲＡＭ１４の所定位置に確保された入力音声記録エリアに記録する（ステップＳ１４）。デジタル音声データの記録は、たとえば、操作スイッチ群１２の所定のスイッチが押されたときに開始され、そのスイッチが再度押されたときに終了するようにする。次に、記録された入力音声データを解析し、イベントデータ（ノートイベント列）を生成する（ステップＳ１５）。ここで、入力音声データを解析する解析方法は、前述のように、公知の方法を用いている。次に、このようにして生成されたイベントデータを記憶するＲＡＭ１４上のエリアを指定し、ユーザの選択に従ってその曲名を付け、着信メロディ用曲データとして指定エリアに記憶する（ステップＳ１６）。
【００４３】
また、演奏データの修正は、具体的には、次のようにして行う。すなわち、まず、記憶された着信メロディ用曲データの全曲目を、前記表示器１６に表示する（ステップＳ１７）。ここで、曲データは、データ修正が可能なものであれば、上述の方法により新規に作成された演奏データに限らず、出荷時にプリセットされているものや、データ配信会社からダウンロードしたもの等どのようなものでもよい。次に、表示された曲目の中から、ユーザが選択した曲目に対応する曲データを表示する（ステップＳ１８）。表示方法は、たとえば、譜面表示形式や文字での音名表示形式等、表示器１６の表示能力に応じた形式で表示するようにすればよい。次に、ユーザの修正指示に応じて部分的（または全体的）に修正した後、再登録する（ステップＳ１９）。修正方法は、たとえば、アップ／ダウンキー（図示せず）により、カーソルを目的の音符に合わせ、テンキーにより、目的の音高に変更するようにすればよい。もちろん、修正できれば、どのような修正方法を用いてもよい。なお、表示されている演奏データは再生できるように構成されており、このため、修正結果を直ぐに確認することができる。
【００４４】
前記ステップＳ２０では、送信モードの設定変更がなされたか否かを判別し、送信モードの設定変更がなされたときには、現在設定されている送信モードを、前記（ａ）〜（ｄ）のいずれかのモード（もちろん、現在設定されているモードは除く）に設定変更する。具体的には、まず、曲データ送信のオン／オフ設定をいずれかに設定する（ステップＳ２１）。次に、メール送信のオン／オフ設定をいずれかに設定する（ステップＳ２２）。ただし、メール送信をオン設定した場合には、表示器１６にメッセージ作成画面を表示し、ユーザがその画面上にメッセージを入力するのを待つ。次に、ステップＳ２１で、曲データ送信をオン設定した場合には、添付すべき曲データを選択するように、ユーザに対して要求する表示および曲データ選択画面を、表示器１６に表示する（ステップＳ２３）。さらに、選択された曲データを割り当てるべき人（またはグループ）の設定を、ユーザの指示に応じて行う（ステップＳ２４）。
【００４５】
前記ステップＳ２０で、送信モードの設定変更がなされていないときには、ステップＳ２５で、着信音の設定変更がなされたか否かを判別し、着信音の設定変更がなされたときには、現在設定されている送信音を、前記（ａ）〜（ｃ）のいずれかの着信音（もちろん、現在設定されている着信音は除く）に設定変更する（ステップＳ２６）。なお、（ｃ）の着信音なしに設定変更されたときに、自動的にバイブレーション機能がオン設定されるようにしてもよい。もちろん、バイブレーション機能のオン／オフ設定は、手動で行うようにしてもよい。さらに、バイブレーション機能自体がない構成でもよい。
【００４６】
ステップＳ２５で、着信音の設定変更がなされていないときには、電話帳の設定がなされたか否かを判別し、電話帳の設定がなされたときには、電話帳の設定処理（その詳細は、図６を用いて後述する）を行う一方、電話帳の設定がなされていないときには、その他処理を行う（ステップＳ２７）。
【００４７】
続く図５のステップＳ２８では、テンキーの入力があったか否かを判別し、テンキーの入力があったときには、その入力番号を設定する（ステップＳ２９）。ここで、番号の設定とは、具体的には、入力番号に対応するＤＴＭＦの信号音を出力するとともに、入力番号を前記表示器１６に表示させ、さらにＲＡＭ１４の所定位置に確保されたエリアに一時的に記憶させるという各処理をいう。
【００４８】
一方、ステップＳ２８で、テンキーの入力がないときには、通話スイッチの操作があったか否かを判別し（ステップＳ３０）、通話スイッチの操作があったときには、着信音が鳴動中か否かを判別する（ステップＳ３１）。
【００４９】
ステップＳ３１で、着信音が鳴動中のときには、着信音を停止させた（ステップＳ３２）後に、ステップＳ３４に進んで、通話モードに移行し、着信音が鳴動中でないときには、番号が設定されているか否かを判別する（ステップＳ３３）。ここで、番号とは、前記ステップＳ２９でテンキーにより設定された電話番号、または、後述するステップＳ５２で、相手方の電話帳が表示されたときの当該相手方の電話番号（ただし、ステップＳ５３でその修正が選択されないときのもの）をいう。
【００５０】
ステップＳ３３で、番号が設定されていないときには、前記ステップＳ３４に進んで、通話モードに移行する一方、番号が設定されているときには、通話モードに移行するとともに、設定された番号に対応するＤＴＭＦの信号音を出力する（ステップＳ３５）。
【００５１】
そして、相手先を呼び出し中か否かを判別し（ステップＳ３６）、相手先を呼び出し中でないときには、本一般操作および設定変更処理を終了し、相手先を呼び出し中のときには、設定されている送信モード、すなわち、（ａ）〜（ｄ）のうちのいずれかのモードを実行した（ステップＳ３７）後に、本一般操作および設定変更処理を終了する。たとえば、（ｂ）の送信モードが設定されているときには、演奏データのみを、呼び出し信号に添付して送信する。
【００５２】
一方、ステップＳ３０で、通話スイッチの操作がないときには、電源スイッチの操作があったか否かを判別し（ステップＳ３８）、電源スイッチの操作があったときには、通話モードをオフにし（ステップＳ３９）、その後まだ継続して長く（たとえば数秒間）押されているときには、電源をオフにした（ステップＳ４０→Ｓ４１）後に、本一般操作および設定変更処理を終了する。
【００５３】
一方、ステップＳ３８で、電源スイッチの操作がないときには、たとえば、着信メロディ関連、通話音量の変更、留守番電話関連等のその他指示があったか否かを判別し（ステップＳ４２）、その他指示がないときには、本一般操作および設定変更処理を終了する一方、その他指示があったときには、その指示に応じたその他設定を行った（ステップＳ４３）後に、本一般操作および設定変更処理を終了する。
【００５４】
図６は、前記ステップＳ２７の電話帳の設定処理の詳細な手順を示すフローチャートである。また、図７は、この電話帳の設定処理によって表示器１６に表示される表示の一例を示す図であり、同図（ａ）には、表示器１６のみならず、操作スイッチ群１２を構成する一部スイッチ１２ａ〜１２ｅも図示されている。なお、図６の電話帳の設定処理は、電話帳スイッチ１２ａを押したときに起動される。
【００５５】
図６において、まず、カーソル移動スイッチ１２ｄによってカーソルを移動させて、相手先が選択されたか否かを判別し（ステップＳ５１）、相手先が選択されたとき、すなわち、相手先が既に電話帳に登録されているときには、選択された相手方の電話帳を表示する（ステップＳ５２）。図７（ｂ）は、相手先が選択された状態を示し、図７（ｃ）は、相手の電話帳が表示された状態を示している。
【００５６】
次に、修正スイッチ１２ｃによって修正が選択されたか否かを判別し（ステップＳ５３）、修正が選択されたときには、ユーザの修正指示に応じた修正を行い再登録した（ステップＳ５４）後に、本電話帳の設定処理を終了し、修正が選択されないときには、何もせずに、本電話帳の設定処理を終了する。
【００５７】
前記ステップＳ５１で、相手先が選択されないときには、新規スイッチ１２ｂにより新規登録が選択されたか否かを判別し（ステップＳ５５）、新規登録が選択されたときには、空欄の電話帳に情報を入力して登録した（ステップＳ５６）後に、本電話帳の設定処理を終了し、新規登録が選択されないときには、１．グループの登録と送信曲の設定、２．受信時の着信メロディの設定等のその他情報を設定した（ステップＳ５７）後に、本電話帳の設定処理を終了する。図７（ｄ）は、空欄の電話帳が表示された状態を示し、図７（ｅ）は、グループの登録と送信曲を設定した状態を示している。
【００５８】
図８は、前記図３のステップＳ３の受信確認処理サブルーチンの詳細な手順を示すフローチャートである。
【００５９】
図８において、まず、着信があり、メッセージを受信したときには、その受信メッセージを、前記ＲＡＭ１４の所定位置に確保された受信メッセージ記憶エリアに記憶するとともに、表示器１６の表示画面に表示する（ステップＳ６１→Ｓ６２→Ｓ６３）。
【００６０】
次に、曲データを受信したときには、その受信曲データを、ＲＡＭ１４の所定位置に確保された受信曲データ記憶エリアに記憶する（ステップＳ６４→Ｓ６５）。
【００６１】
次に、「メッセージの受信」と「曲データの受信」の各状況および自通信機の着信メロディの設定状況を表す信号を、送信側の通信機に返信し（ステップＳ６６）、着信音設定の画面で設定された内容で着信音を鳴動させた（ステップＳ６７）後に、本受信確認処理を終了する。
【００６２】
なお、着信がないときには、何もせずに直ちに本受信確認処理を終了する。また、着信があっても、メッセージを受信しなかったときには、ステップＳ６３の処理をスキップして、ステップＳ６４に進む。さらに、曲データを受信しなかったときには、ステップＳ６５の処理をスキップして、ステップＳ６６に進む。
【００６３】
このように、本実施の形態では、ユーザがマイクロフォン１７から歌声で、または、楽音発生装置１００による演奏で入力した音声信号を解析し、その解析結果に基づいて演奏データを生成するようにしたので着信メロディ用の演奏データを簡単に入力することができる。また、このようにして生成された演奏データを、相手方を呼び出す呼び出し信号に添付して送信するようにし、相手方の通信装置では、その添付された演奏データを再生できるようにしたので、送信側のユーザが受信側の着信メロディを制御でき、これにより、送信側のユーザは、自分の呼び出しに対する着信メロディに個性を発揮させることができる。そして、演奏データは、呼び出し信号に添付しているので、演奏データを再生したとしても通信料金はかからず、メロディをプレゼントするコミュニケーションに使用することができる。
【００６４】
なお、取り込んだ演奏データの一部が再生できない場合には、その一部を除いた残りの部分のみ再生するようにしてもよいし、その一部を再生可能なものに変更した後に再生するようにしてもよい。
【００６５】
また、取り込んだ演奏データそのもの、または修正後の演奏データを、再度添付して他の通信装置に転送するようにしてもよい。また、取り込んだ演奏データは、呼び出し信号を送受信している間以外でも、所定の操作に同期して再生できるようにしてもよい。さらに、取り込んだ演奏データの再生時間が短い場合には、繰り返して再生するようにすればよい。
【００６６】
また、添付するデータとしては、演奏データのみならず、他の種類のデータ、たとえば、画像データや文字データ等を加えるようにしてもよい。
【００６７】
なお、上述した実施の形態の機能を実現するソフトウェアのプログラムコードを記録した記憶媒体を、システムまたは装置に供給し、そのシステムまたは装置のコンピュータ（またはＣＰＵ１１やＭＰＵ）が記憶媒体に格納されたプログラムコードを読出し実行することによっても、本発明の目的が達成されることは言うまでもない。
【００６８】
この場合、記憶媒体から読出されたプログラムコード自体が本発明の新規な機能を実現することになり、そのプログラムコードを記憶した記憶媒体は本発明を構成することになる。
【００６９】
プログラムコードを供給するための記憶媒体としては、たとえば、前記ＲＯＭ６などを用いることができる。
【００７０】
【発明の効果】
以上説明したように、請求項１または２に記載の発明によれば、当該電話装置が、発信元の電話装置として使用され、発信先の電話装置に対して呼び出し信号を送信するときに、該呼び出し信号に演奏データが添付され、当該電話装置が、発信先の電話装置として使用され、発信元の電話装置から呼び出し信号を受信したときに、該呼び出し信号に前記演奏データが添付され、第１の報知態様が設定されていた場合には、該演奏データを添付データ記憶手段に取り込み、該取り込んだ演奏データの再生を開始するように制御されるので、発信元の電話装置のユーザが発信先の電話装置の着信メロディを制御することができる。
【図面の簡単な説明】
【図１】  本発明の一実施の形態に係る通信装置が他の通信装置と通信するときに必要なシステム構成の一例を示す図である。
【図２】  本実施の形態の通信装置の概略構成を示すブロック図である。
【図３】  図２の通信装置、特にＣＰＵが実行するメインルーチンの手順を示すフローチャートである。
【図４】  一般操作および設定変更処理サブルーチンの詳細な手順を示すフローチャートである。
【図５】  一般操作および設定変更処理サブルーチンの詳細な手順を示すフローチャートである。
【図６】  図４の電話帳の設定処理の詳細な手順を示すフローチャートである。
【図７】  図６の電話帳の設定処理によって、図２の表示器に表示される表示の一例を示す図である。
【図８】  図３の受信確認処理サブルーチンの詳細な手順を示すフローチャートである。
【符号の説明】
１１  ＣＰＵ（添付手段、制御手段、設定手段）
１２  操作スイッチ群（設定手段）
１４  ＲＡＭ（添付データ記憶手段、演奏データ記憶手段）
１７  マイクロフォン
３０  外部入力インターフェース
【図１】
0003644348.tif 000002
【図２】
0003644348.tif 000003
【図３】
0003644348.tif 000004
【図４】
0003644348.tif 000005
【図５】
0003644348.tif 000006
【図６】
0003644348.tif 000007
【図７】
0003644348.tif 000008
【図８】
0003644348.tif 000009